(57)【要約】      （修正有）【課題】部品点数を抑制しつつ、ダクト部材を摺動可能な構成とすること。【解決手段】電気機器収納用箱に設けられたマウント部材に装着される支持部材に取付けられ、電気機器の配線を保持するダクト部材１であって、ダクト部材１の左右側面に、支持部材との摺動方向をガイドするガイド部１２を備えた構成とする。ダクト部材１は、基端部１１と、基端部１１より伸びる櫛部１４を備え、ガイド部１２は、基端部１１の左右側面に設けられ、基端部よりも前方及び／又は後方の何れかに突出する構成とする。【選択図】図２
2018032774.tif 000002
【特許請求の範囲】
【請求項１】
電気機器収納用箱に設けられたマウント部材に装着される支持部材に取付けられ、電気機器の配線を保持するダクト部材であって、
ダクト部材の左右側面に、支持部材との摺動方向をガイドするガイド部を備えたダクト部材。
【請求項２】
前記ダクト部材は、基端部と、基端部より伸びる櫛部を備え、
前記ガイド部は、基端部の左右側面に設けられ、
前記ガイド部は、基端部よりも前方及び／又は後方の何れかに突出する請求項１に記載のダクト部材。
【請求項３】
前記ダクト部材は、支持部材と嵌合することで支持部材とダクト部材とを固定する嵌合部を、基端部の左右側面に備えた請求項１又は２に記載のダクト部材。
【請求項４】
前記ガイド部は、摺動方向に延びる溝部を有し、
前記ダクト部材は、前記ガイド部の側面から左右方向に突出する第二のガイド部を有し、
前記ガイド部と第二のガイド部は、支持部材に対して摺動自在である請求項１乃至３の何れかに記載のダクト部材。
【発明の詳細な説明】
【技術分野】
【０００１】
本発明は、 電気機器より引き出される配線を収納するために利用されるダクト部材に関するものである。
【背景技術】
【０００２】
特許文献１に記載されているように、電気機器より引き出される配線を収納するために利用されるダクト部材を位置調整可能にする構造は知られている。
【先行技術文献】
【特許文献】
【０００３】
【特許文献１】特開２０１２−２３１１４４号公報
【０００４】
ところで、特許文献１に記載の構造は複数の部材を用いることで、ダクト部材の位置を調整可能な構造としているため、製造コストが高くなる傾向にあった。また、複数の部材を用いているため、構造が複雑になっていた。
【発明の概要】
【発明が解決しようとする課題】
【０００５】
本件の発明者は、この点について鋭意検討することにより、解決を試みた。本発明の課題は、部品点数を抑制しつつ、ダクト部材を摺動可能な構成とすることである。
【課題を解決するための手段】
【０００６】
上記課題を解決するため、次のような手段を採用する。第一の手段は、電気機器収納用箱に設けられたマウント部材に装着される支持部材に取付けられ、電気機器の配線を保持するダクト部材であって、ダクト部材の左右側面に、支持部材との摺動方向をガイドするガイド部を備えたダクト部材である。
【０００７】
第一の手段において、前記ダクト部材は、基端部と、基端部より伸びる櫛部を備え、前記ガイド部は、基端部の左右側面に設けられ、前記ガイド部は、基端部よりも前方及び／又は後方の何れかに突出する構成とすることが好ましい。
【０００８】
第一の手段において、前記ダクト部材は、支持部材と嵌合することで支持部材とダクト部材とを固定する嵌合部を、基端部の左右側面に備えた構成とすることが好ましい。
【０００９】
第一の手段において、前記ガイド部は、摺動方向に延びる溝部を有し、前記ダクト部材は、前記ガイド部の側面から左右方向に突出する第二のガイド部を有し、前記ガイド部と第二のガイド部は、支持部材に対して摺動自在である構成とすることが好ましい。
【発明の効果】
【００１０】
本発明では、部品点数を抑制しつつ、ダクト部材を摺動可能な構成とすることができる。部品点数を抑制する結果、製造コストを抑えることができる。また、より簡単な構造で、ダクト部材の摺動を可能としている。
【図面の簡単な説明】
【００１１】
【図１】実施形態のダクト部材を電気機器収納用箱に取り付けた状態を示した斜視図である。
【図２】ダクト部材の斜視図である。
【図３】ダクト部材に支持部材とカバーを取り付けた状態を示した斜視図である。
【図４】ダクト部材の部分拡大図である。
【図５】図４とは異なる方向から見たダクト部材の部分拡大図である。
【図６】ダクト部材と支持部材を組み付ける前の状態を示した背面図である。
【図７】支持部材の斜視図である。
【図８】ダクト部材と支持部材を組み付けた状態を示した背面図である。
【図９】第一の固定箇所でダクト部材を固定した状態を示した平面図である。
【図１０】第二の固定箇所でダクト部材を固定した状態を示した平面図である。
【発明を実施するための形態】
【００１２】
以下に発明を実施するための形態を示す。本実施形態のダクト部材１は、電気の配線を保持するために利用され、図１に示すように、支持部材３を介して電気機器収納用箱９に取り付けられるものである。また、図２に示すように、ダクト部材１の左右側面に支持部材３との摺動方向をガイドするガイド部１２を備えている。このため、部品点数を抑制しつつ、ダクト部材１を摺動可能とすることができる。
【００１３】
本実施形態のダクト部材１は、基端部１１と、基端部１１の上下から前面方向に延びる櫛部１４で構成される。櫛部１４は、複数の腕部１５を備え、腕部１５の間に配線を通すことでダクト部材１の上下方向への配線を可能としている。また、図３に示すように、櫛部１４の先端には、ダクト部材１の開口を覆うカバー２２が取り付け可能となっている。
【００１４】
図４及び図５に示すように、本実施形態のガイド部１２は、ダクト部材１の側面に設けられている。より詳しくは、基端部１１の左右両側面の上下二カ所にガイド部１２が設けられている。図６に示すように、本実施形態のガイド部１２は、基端部１１の左右方向に延びる水平部１８と、水平部１８の端部から上下方向に延びる垂直部１９とからなる断面略Ｌ字形状に構成されている。このため、本実施形態のガイド部１２は、摺動方向に延びる溝部を有する構成となっている。本実施形態では水平部１８と垂直部１９とを備えるガイド部１２としているため、ダクト部材１が上下方向や左右方向にガタツクことを抑制することができる。なお、基端部１１には、配線挿通孔１６が設けられており、基端部１１の前後に亘って配線可能な構成としている。また、ガイド部１２は、樹脂製のダクト部材１の基端部１１と一体的に構成されている。
【００１５】
図４及び図５に示される事項から理解されるように、ガイド部１２の前後方向の長さは、基端部１１の前後方向の長さよりも長く構成されており、ガイド部１２が基端部１１の前方に突出するように構成されている。なお、ガイド部１２は基端部１１の後方に突出するように構成しても良い。基端部１１の左右側面に設けられたガイド部１２が、基端部１１よりも前方又は後方に突出するようにすれば、支持部材３とガイド部１２との接触面積を大きくすることが可能となり、ダクト部材１のガタツキを抑制してダクト部材１を固定することができる。また、基端部１１の厚みを厚くせずとも、支持部材３とダクト部材１をガタツキなく摺動させることが可能となるため、基端部１１の厚みを増すことにより配線空間が圧迫されるようなことが回避される。したがって、配線容量を確保しつつ、ダクト部材１のガタツキを抑制可能な構造とすることができる。
【００１６】
また、図４〜図６に示されている事項から理解されるように、本実施形態のガイド部１２の側方には、ガイド部１２の側面から左右方向に突出する第二のガイド部１３が設けられている。第二のガイド部１３は、垂直部１９よりも外方に向けて水平方向に突出するように形成されている。また、この第二のガイド部１３は、垂直部１９の側面に設けられた凸条として形成されており、その前後方向の長さは、垂直部１９の前後方向の長さよりも短くなるように構成されている。この第二のガイド部１３は、支持部材３に設けられた第二のガイド溝３２に挿入される部位であり、支持部材３との摺動をガイドするように機能する。
【００１７】
この第二のガイド部１３は、基端部１１の左右方向に延びる水平部１８と、この水平部１８の端部から上下方向に延びる垂直部１９とからなるガイド部１２とともに支持部材３との摺動をガイドするように構成されており、ガイド部１２の側面から水平方向に突出する形状に構成されている。したがって、支持部材３と接触する面積を更に大きくすることが可能となり、より効果的にダクト部材１のガタツキを抑制しながら固定することが可能となる。
【００１８】
また、ダクト部材１の基端部１１の側方には、支持部材３の被嵌合部３３と嵌合することによって、ダクト部材１を支持部材３に固定することが可能な嵌合部１７が設けられている。このため、支持部材３にガイド部１２を固定することが可能となる。
【００１９】
本実施形態の支持部材３は、図３に示すように、ダクト部材１の左右側面に取り付けられるものであり、ダクト部材１を電気機器収納用箱９のマウント部材９２などに固定するために用いられる。図６及び図７に示すように、支持部材３にはガイド溝３１及び第二のガイド溝３２を備えている。ガイド溝３１は、ダクト部材１のガイド部１２を挿入可能な部位であり、第二のガイド溝３２は第二のガイド部１３を挿入可能な部位である。ダクト部材１を摺動可能とするため、ガイド溝３１はガイド部１２よりも長くなるように設けられており、第二のガイド溝３２は第二のガイド部１３よりも長くなるように設けられている。
【００２０】
図６に示すように、ガイド溝３１は、上方若しくは下方に凹むような形態を備えた構成とされており、ガイド部１２の垂直部１９が嵌ることが可能なように構成されている。これにより、図８に示すように、支持部材３とダクト部材１を組み合わせると、ダクト部材１が左右方向に移動することを抑制することが可能となるとともに、上下方向に移動することも抑制可能となる。
【００２１】
図７に示すように、本実施形態では、支持部材３に二つ被嵌合部３３を設けている。これらの被嵌合部３３は、弾性変形可能なアーム部位３４の先に設けた凸状の部位である。通常、支持部材３をダクト部材１に摺動させると、一方の被嵌合部３３が嵌合部１７に嵌り、図９に示すような位置で、支持部材３とダクト部材１の摺動が抑制される。この状態から、使用者がアーム部位３４を反らすように操作して、被嵌合部３３を嵌合部１７から抜き出すと、更なる摺動が可能となる。摺動させていくと、図１０に示すような位置で、もう一方の被嵌合部３３が嵌合部１７に嵌ることが可能となる。被嵌合部３３は二つに限ることは無いため、同様な構成にして三以上の複数個所で固定させることも可能である。
【００２２】
図７に示すように、第二のガイド溝３２には、第二のガイド部１３と接触することで、ダクト部材１の更なる摺動を規制する規制片３５が設けられている。この規制片３５は、本実施形態では、支持部に備えられた被嵌合部３３で固定する箇所を越えた位置でダクト部材１の更なる摺動を規制することが可能なように規制片３５を設けているが、規制片３５は所望の位置に設けることができる。例えば、最も奥で嵌ることになる被嵌合部３３の位置に合わせて規制片３５を配置することも可能である。
【００２３】
なお、本実施形態では、支持部材３をダクト部材１の前端側から後端側に向けて摺動させることで支持部材３とダクト部材１を組み付ける構成であるが、逆に、ダクト部材１を支持部材３の前端側から後端側に向けて摺動させることで、支持部材３とダクト部材１を組み付ける構成とすることも可能である。このようにすれば、マウント部材９２などに支持部材３を固定した後であっても、ダクト部材１を支持部材３に取り付けることが容易となる。
【００２４】
以上、一つの実施形態を中心に説明してきたが、本発明は上記実施形態に限定されることはなく、各種の態様とすることが可能である。例えば、ダクト部材は複数の部材が組み合わされて構成されるものとすることも可能である。
【００２５】
ガイド部は基端部の前方及び後方の双方に突出するように構成することが可能である。
【００２６】
ガイド部と第二のガイド部の双方が支持部材に対して摺動自在である構成とする必要は無く、第二のガイド部を設けない構成とすることなども可能である。
【符号の説明】
【００２７】
１  ダクト部材
３  支持部材
９  電気機器収納用箱
１１  基端部
１２  ガイド部
１３  第二のガイド部
１４  櫛部
１７  嵌合部
１８  水平部
１９  垂直部
【図１】
2018032774.tif 000003
【図２】
2018032774.tif 000004
【図３】
2018032774.tif 000005
【図４】
2018032774.tif 000006
【図５】
2018032774.tif 000007
【図６】
2018032774.tif 000008
【図７】
2018032774.tif 000009
【図８】
2018032774.tif 000010
【図９】
2018032774.tif 000011
【図１０】
2018032774.tif 000012